(57)【要約】【課題】メンテナンス時における無駄な電力を削減する冷却装置を提供する。【解決手段】前面に第１環境用の外気吸気口５と外気吐出口６を設け、背面に第２環境用の内気吸気口７および内気吐出口８を設けた本体ケース４と、この本体ケース内４に設けられた外気送風機９及び内気送風機１０と、前記本体ケース４内において、第１環境の空気と第２環境の空気との熱交換を行う熱交換器１１と前記外気送風機９及び前記内気送風機１０を動作させる制御部２１を備え、前記本体ケース４に取り付けられる内蓋１８の接触状態を、内蓋開閉検出手段２３にて検出して開閉部２６を制御させる構成として、本体ケース４と内蓋１８との接触を内蓋開閉検出手段２３にて検出し、開閉結果を、マイコン２２へ信号として送信し、さらにマイコン２２から信号で開閉部２６を導通／遮断させることができる。【選択図】図１
2012059914.tif 000002
【特許請求の範囲】
【請求項１】
前面に第１環境用の外気吸気口と外気吐出口を設け、背面に第２環境用の内気吸気口および内気吐出口を設けた本体ケースと、この本体ケース内に設けられた外気送風機及び内気送風機と、前記本体ケース内において、第１環境の空気と第２環境の空気との熱交換を行う熱交換器と前記外気送風機及び前記内気送風機を動作させる制御部を備え、前記本体ケースに取り付けられる内蓋の接触状態を、内蓋開閉検出手段にて検出して開閉部を制御させる冷却装置。
【請求項２】
前記本体ケースに取り付けられる内蓋の開閉状態を、前記本体と前記内蓋の接触抵抗にて検出させる請求項１記載の冷却装置。
【請求項３】
前記本体ケースに取り付けられる内蓋が開状態の時、運転指令が来ても起動しないことを特徴とする冷却装置。
【請求項４】
前記本体ケースに取り付けられる内蓋が開状態の時、運転指令が来ても起動しない理由を視覚的表示手段にて表示することを特徴とする請求項３記載の冷却装置。
【請求項５】
前記本体ケースに取り付けられる内蓋が開状態の時、運転指令が来ても起動しない理由を聴覚的表現手段にて表現することを特徴とする請求項３または４記載の冷却装置。
【請求項６】
前記外気送風機及び前記内気送風機が運転中の時に、前記本体ケースに取り付けられる内蓋が内蓋開閉検出手段にて開状態を検出した時、運転指令が停止指令になることを特徴とする請求項１記載の冷却装置。
【請求項７】
前記外気送風機及び前記内気送風機が運転中の時に、前記本体ケースに取り付けられる内蓋が開状態になり、停止指令後の一定時間経過したら、自動的に開閉部が開になることを特徴とする請求項６記載の冷却装置。
【請求項８】
前記本体ケースに取り付けられる第２内蓋は、本体背面に取り付けた取り付け金具に共締めすることを特徴とする冷却装置。
【発明の詳細な説明】
【技術分野】
【０００１】
本発明は、例えば屋外に設置される電子機器に活用される冷却装置及びこれを組み込んだ電子機器に関するものである。
【背景技術】
【０００２】
例えば、携帯電話の基地局は、数十アンペア以上の電流が流れることから、ある点では発熱体とも表現される。
【０００３】
つまり、発熱体でもある携帯電話の基地局を冷却することは、その動作を安定させるためには極めて重要なものとなる。この発熱体収納装置である基地局の内部には通信機を複数台設け、発生する熱を冷却装置のファンで冷却する構成をしていた。
【０００４】
そして、この発熱体収納装置では、外部電源を直流電源に変換し、その電圧で前記通信機と冷却装置のファンを駆動するようにしていた（これに類似する先行文献としては特許文献１を参照）。
【０００５】
このような基地局においては、近年の技術開発の結果、内部に収められていた機器類を更新し、さらに発熱量が増加する傾向にある。
【０００６】
また、通信量の増加に伴い、基地局のスペースを有効に使いながら可能な限り多くの機器類を収納する傾向があった。
【先行技術文献】
【特許文献】
【０００７】
【特許文献１】特開２０００−１６１８７５号公報
【発明の概要】
【発明が解決しようとする課題】
【０００８】
このような従来の冷却装置およびこれを用いた電子機器では、基地局内部のスペースを有効に使うようになり、通信機中心で設置されるために、冷却装置そのものの存在スペースやメンテナンス用のスペースが十分に確保できない状況になってきた。
【０００９】
そのため、一部の商品においては、設置場所が基地局内部から基地局外壁の設置へと移り変わり、壁面取り付け構造化が行われるようになったことで、本体の電源接続は、外壁面より基地局内部で行い、メンテナンスは基地局外で行うため、別々の環境で行われるようになったことで、基地局内部でのメンテナンスの作業性の改善が求められていた。
【００１０】
また、携帯基地局内の電力消費量と発熱量が、年々通信量の増加に伴い増加傾向にあるため、冷却装置自身の電力量の削減が求められているという課題があった。
【００１１】
本発明は、このような従来の課題を解決するもので、メンテナンス時における無駄な電力を削減するために、電力量の多いインバータ駆動回路において、メンテナンス時に行われる内蓋の接触を検知し、インバータ駆動回路の電源回路を遮断することで、待機電力の削減を行うことが可能な冷却装置を提供する。
【課題を解決するための手段】
【００１２】
前記課題を解決するために、本発明の冷却装置およびこれを用いた電子機器は、前面に第１環境用の外気吸気口と外気吐出口を設け、背面に第２環境用の内気吸気口および内気吐出口を設けた本体ケースと、この本体ケース内に設けられた外気送風機及び内気送風機と、前記本体ケース内において、第１環境の空気と第２環境の空気との熱交換を行う熱交換器と前記外気送風機及び前記内気送風機を動作させる制御部を備え、前記本体ケースに取り付けられる内蓋の接触状態を、内蓋開閉検出手段にて検出して開閉部を制御させる冷却装置を備えたものである。
【００１３】
この手段により、内蓋と本体ケースの接触が開状態では、メンテナンス作業中であるため、マイコン信号よりインバータ駆動回路部分の電源を遮断することで、メンテナンス中の待機電力を削減できるという効果のある冷却装置およびこれを用いた電子機器が得られる。
【００１４】
また、他の手段は、前記本体ケースに取り付けられる内蓋の開閉状態を、前記本体ケースと前記内蓋の接触抵抗にて検出させるものである。
【００１５】
この手段により、メンテナンス中の待機電力を削減できるだけでなく、内蓋開閉検出手段を簡素化し、コストダウンも実現できるという効果のある冷却装置およびこれを用いた電子機器が得られる。
【００１６】
また、他の手段は、前記本体ケースに取り付けられる内蓋が開状態の時、運転指令が来ても起動しないことを特徴とするものである。
【００１７】
この手段により、開閉部の部品を削減し、マイコン信号にて停止させることで、安価な回路部品で構成でき、メンテナンス中の待機電力を削減させることができるという効果のある冷却装置およびこれを用いた電子機器が得られる。
【００１８】
また、他の手段は、前記本体ケースに取り付けられる内蓋が開状態の時、運転指令が来ても起動しない理由を視覚的表示手段にて表示することを特徴とするものである。
【００１９】
この手段により、メンテナンス中の待機電力を削減させながら、作業中であることを基地局内部から視覚的に表示させることができるという効果のある冷却装置およびこれを用いた電子機器が得られる。
【００２０】
また、他の手段は、前記本体ケースに取り付けられる内蓋が開状態の時、運転指令が来ても起動しない理由を聴覚的表現手段にて表現することを特徴とするものである。
【００２１】
この手段により、メンテナンス中の待機電力を削減させながら、作業中であることを基地局内部から聴覚的に表現させることができるという効果のある冷却装置およびこれを用いた電子機器が得られる。
【００２２】
また、他の手段は、前記外気送風機及び前記内気送風機が運転中の時に、前記本体ケースに取り付けられる内蓋が内蓋開閉検出手段にて開状態を検出した時、運転指令が停止指令になることを特徴とするものである。
【００２３】
この手段により、メンテナンスモードに切り替わり、停止させることで消費電力を低下させることができる。また、回転を継続させないことで、メンテナンス中の送風装置の回転による怪我を防止できるという効果のある冷却装置およびこれを用いた電子機器が得られる。
【００２４】
また、他の手段は、前記外気送風機及び前記内気送風機が運転中の時に、前記本体ケースに取り付けられる内蓋が開状態になり、停止指令後の一定時間経過したら、自動的に開閉部が開になることを特徴とするものである。
【００２５】
この手段により、メンテナンスモードの経過時間を管理することで、更なる待機電力の削減を図るという効果のある冷却装置およびこれを用いた電子機器が得られる。
【００２６】
また、他の手段は、前記本体ケースに取り付けられる第２内蓋は、本体背面に取り付けた取り付け金具に共締めすることを特徴とするものである。
【００２７】
この手段により、第２内蓋の有無が、基地局内でわかるため、メンテナンス中の有無が確認できるため、基地局の外の製品を見に行くことや通電による確認が不要となる。
【００２８】
また、基地局内に取り付けられているため、外部からの盗難を防止できるという効果のある冷却装置およびこれを用いた電子機器が得られる。
【発明の効果】
【００２９】
本発明の冷却装置およびこれを用いた電子機器によれば、前面に第１環境用の外気吸気口と外気吐出口を設け、背面に第２環境用の内気吸気口および内気吐出口を設けた本体ケースと、この本体ケース内に設けられた外気送風機及び内気送風機と、前記本体ケース内において、第１環境の空気と第２環境の空気との熱交換を行う熱交換器と前記外気送風機及び前記内気送風機を動作させる制御部を備え、前記本体ケースに取り付けられる内蓋の接触状態を、内蓋開閉検出手段にて検出して開閉部を制御させる冷却装置は、本体ケースと内蓋との接触を内蓋開閉検出手段にて検出し、開閉結果を、マイコンへ信号として送信し、さらにマイコンから信号で開閉部を導通／遮断することで、内蓋と本体ケースの接触が開状態では、メンテナンス作業中であることから、マイコン信号よりインバータ駆動回路部分の電源を遮断し、メンテナンス中の待機電力を削減できるという効果のある冷却装置およびこれを用いた電子機器を提供することができる。
【図面の簡単な説明】
【００３０】
【図１】本発明の実施の形態１の電子機器の設置例を示す斜視図
【図２】同冷却装置の断面側面図
【図３】同冷却装置の前面外観斜視図（（ａ）フロントパネルを取り付けた図、（ｂ）フロントパネルを外した図            ）
【図４】同冷却装置の背面外観斜視図
【図５】同冷却装置のキャビネット内側から見た斜視図
【図６】同冷却装置の前面内部構造図
【図７】本発明の実施の形態１の制御部の第１のブロック図
【図８】本発明の実施の形態１の制御部の第２のブロック図
【図９】本発明の実施の形態２の制御部のブロック図
【図１０】本発明の実施の形態３の制御部のブロック図
【図１１】本発明の実施の形態４の背面外観斜視図
【図１２】同図１１に示すＡ部（第２の内蓋部分）拡大図
【発明を実施するための形態】
【００３１】
請求項１記載の発明は、前面に第１環境用の外気吸気口と外気吐出口を設け、背面に第２環境用の内気吸気口および内気吐出口を設けた本体ケースと、この本体ケース内に設けられた外気送風機及び内気送風機と、前記本体ケース内において、第１環境の空気と第２環境の空気との熱交換を行う熱交換器と前記外気送風機及び前記内気送風機を動作させる制御部を備え、前記本体ケースに取り付けられる内蓋の接触状態を、内蓋開閉検出手段にて検出して開閉部を制御させるものであって、本体ケースと内蓋との接触を内蓋開閉検出手段にて検出し、開閉結果を、マイコンへ信号として送信し、さらにマイコンから信号で開閉部を導通／遮断する作用を有する。
【００３２】
また、前記本体ケースに取り付けられる内蓋の開閉状態を、前記本体ケースと前記内蓋の接触抵抗にて検出させるものであって、内蓋の接触を本体ケースと内蓋との接触抵抗にて検出し、開閉結果を、マイコンへ信号として送信し、開閉部を導通／遮断する作用を有する。
【００３３】
また、前記本体ケースに取り付けられる内蓋が開状態の時、運転指令が来ても起動しないものであって、内蓋の接触を本体ケースと内蓋との接触抵抗にて検出し、開閉結果を、マイコンへ信号として送信し、マイコンから駆動回路部へ運転／停止指令を送信する作用を有する。
【００３４】
また、前記本体ケースに取り付けられる内蓋が開状態の時、運転指令が来ても起動しない理由を視覚的表示手段にて表示するものであって、開閉結果を、マイコンへ信号として送信し、マイコンから駆動回路部へ運転／停止指令を送信するだけでなく、マイコンから視覚的表示手段に警告する信号を送る作用を有する。
【００３５】
また、前記本体ケースに取り付けられる内蓋が開状態の時、運転指令が来ても起動しない理由を聴覚的表現手段にて表現するものであって、開閉結果を、マイコンへ信号として送信し、マイコンから駆動回路部へ運転／停止指令を送信するだけでなく、マイコンから聴覚的表現手段に警告する信号を送る作用を有する。
【００３６】
また、前記外気送風機及び前記内気送風機が運転中の時に、前記本体ケースに取り付けられる内蓋が内蓋開閉検出手段にて開状態を検出した時、運転指令が停止指令になるものであって、運転中に内蓋が閉から開となることで、内蓋開閉検出手段が検出されると、即座にマイコンへ開信号を送り、各インバータ駆動回路部へ停止信号を送る作用を有する。
【００３７】
また、前記外気送風機及び前記内気送風機が運転中の時に、前記本体ケースに取り付けられる内蓋が開状態になり、停止指令後の一定時間経過したら、自動的に開閉部が開になるものであって、マイコンが開信号の受信し、一定時間の経過後に、新たに開閉部への電源供給を遮断するようにマイコンから信号を送る作用を有する。
【００３８】
また、前記本体ケースに取り付けられる第２内蓋は、本体背面に取り付けた取り付け金具に共締めするものであって、第２内蓋を本体前面から差し込んで、本体背面にて取り付けする構造に変更することで、点検中の有無が基地局内部でわかる作用を有する。
【００３９】
以下、本発明の実施の形態について図面を参照しながら説明する。
【００４０】
（実施の形態１）
図１から図８に示すように、本実施の形態１における冷却装置の斜視図、側面図、構造図、ブロック図を示し、図面を参照しながら説明する。
【００４１】
図１に示すように、携帯電話の基地局１は内部に送・受信機（図示せず）を収納したものである。このような基地局１は、様々な場所に設置されている。
【００４２】
さらに、基地局１は箱状のキャビネット２とこのキャビネット２内に設けた送・受信機とで構成されている。
【００４３】
送・受信機は、数十アンペア以上の電流が流れており、それに伴って高温化するものとなる。このような送・受信機の高温化を放置すると、その特性が不安定になる。
【００４４】
そこで、キャビネット２の一つの外壁面には、冷却装置３が取り付けられている。
【００４５】
冷却装置３は、図２に示すように、第１環境となる外気空気（以降、外気と呼ぶ）と第２環境となるキャビネット２内の空気（以降、内気と呼ぶ）とを吸い込む構成となっている。すなわち、冷却装置３は、本体ケース４の前面に第１環境用として外気用の外気吸気口５と外気吐出口６設け、背面に第２環境用としてキャビネット２内用の内気吸気口７および内気吐出口８を有する。
【００４６】
さらに本体ケース４内には、外気用の外気送風機９およびキャビネット２内用の内気送風機１０と、外気空気とキャビネット２内の空気との熱交換を行う熱交換器１１と、外気送風機９及び前記内気送風機１０を動作させる制御部２１とを備えている。
【００４７】
また、本体ケースは、図３（ａ）に示すように、冷却装置３は、前面側のフロントパネル１７を備えたものである。このフロントパネル１７は、外気吸気口５と外気吐出口６を開口している。さらに、図３（ｂ）は、フロントパネル１７を外した状態であり、フロントパネル１７を外すと、熱交換器１１、外気送風機９と内蓋１８が配置されている。
【００４８】
このように構成した冷却装置３は、図４に示すように、背面の４隅には、固定ボルト１２が取り付いており、図２に示すように、背面側をキャビネット２に埋め込んで取り付ける構成になっている。
【００４９】
さらに、図４に示すように、冷却装置３は、キャビネット２内の送・受信機の動作に連動させてキャビネット２側からの電源供給と信号によって動作させることから、内気吸気口７の横には、電源部１９を配置した構成となっている。
【００５０】
図５は、冷却装置３をキャビネット２の壁面２ａに取り付けときのキャビネット２内から見た図である。
【００５１】
キャビネット２には、内気吸気口用開口１４と内気吐出口用開口１５の穴が空けられており、内気吸気口７の横には、電源部１９も露出しており、電源線２０を接続可能な構造になっている。そのため、冷却装置３の電源は、キャビネット２内で行われ、他の通信機とも接続されている。
【００５２】
さて、すでに図３（ｂ）を示して、フロントパネル１７の内側には、熱交換器１１と外気送風機９と内蓋１８が取り付けられていることを説明した。この内蓋１８は、背面の内気吸気口用開口１４の裏側即ち本体ケースの正面側を覆うパネルであって、その内側には、制御部２１や内気送風機１０が収納されている。そして、制御部２１には、内蓋１８が取り付けられている状態をその接触状態で検出する内蓋開閉検出手段２３を備えている。
【００５３】
また、制御部２１には、内蓋開閉検出手段２３の検出によって制御される開閉部２６を備えている。開閉部２６は、外気送風機９及び前記内気送風機１０を駆動する第１インバータ駆動回路２７と第２インバータ駆動回路２８への電源を開閉するものである。
【００５４】
図７に制御部２１の第１のブロック図を示す。
【００５５】
キャビネット２内の電源を電源線２０から電源部１９を経由して、制御部２１に入力される構成である。
【００５６】
さらに、本動作は、制御部２１内には第１電源回路２４と第２電源回路２５の２つの電源回路で分離された構成である。
【００５７】
また、第１電源回路２４は、冷却装置３の頭脳でもあるマイコン２２に電源供給し、常時電源投入されていればマイコン２２は動作している。
【００５８】
さらに、第２電源回路２５は、外気送風機９と内気送風機１０を動作させるための電源経路であり、開閉部２６により、電源の通電・遮断を行うことができる。
【００５９】
また、外気送風機９を駆動させるための第１インバータ駆動回路２７と内気送風機１０を駆動させるための第２インバータ駆動回路２８を備えている。
【００６０】
さらに、内蓋開閉検出手段２３は、本体ケース４と内蓋１８との接触を検出しており、接触しなくなったら、内蓋開閉検出手段２３は反応し、制御部２１に信号を送ることになる。
【００６１】
そして、内蓋開閉検出手段２３の一例としては、リミットＳＷなどがあり、本体ケース４と内蓋１８間にリミットＳＷを設置して、本体ケース４と内蓋１８がビス等にて取り付けられて、前記リミットＳＷが押し込まれていれば、前記リミットＳＷは、閉と認識して制御部２１へ閉信号を送ることができる。
【００６２】
さらに、逆に本体ケース４と内蓋１８間のビスが取り外されて、メンテナンス等が行われるときは、前記リミットＳＷは、開と認識して制御部２１へ開信号を送ることができる。
【００６３】
また、内蓋開閉検出手段２３の検出結果により、マイコン２２は開閉部２６へ電源の通電・遮断を行うために信号を送信することになっている。
【００６４】
さらに、図７の動作は、電源投入時のものであり、内蓋１８の状態を即座に検出し、開状態であれば、開閉部２６を遮断させて第１インバータ駆動回路２７と第２インバータ駆動回路２８へ電源供給しないものとする。
【００６５】
以上のように内蓋開閉検出手段２３の一例としてリミットＳＷを備えた実施の形態を説明したが、前記本体ケース４に取り付けられる内蓋１８の開閉状態を、前記本体ケース４と前記内蓋１８の接触抵抗にて検出させるものでも良い。
【００６６】
つまり、図８に示すように、制御部２１の第２のブロック図である。図７の第１のブロック図との相違点は、内蓋１８と本体ケース４との接触の検出方法を簡易方式に変更したものであり、その方法は導通検出手段２３ａにて行うものである。さらに導通検出手段２３ａの一例として、内蓋１８と本体ケース４間の接触抵抗を検出し、抵抗値のオープン・ショートにて内蓋１８の接触を検出するもので構成する。
【００６７】
上記構成により、冷却装置３は、熱交換器１１により、送・受信機の冷却を行うことになる。
【００６８】
冷却装置３の運転を行うと、キャビネット２内の高温の空気は、内気送風機１０によって熱交換器１１を通って再びキャビネット２内に供給される。一方、内気と比べて低温の外気は、外気送風機９によって熱交換器１１を通って外気側に放出されることになる。
【００６９】
さらに、熱交換器１１では、高温の内気と低温の外気との間で熱交換が行われることになり、内気は冷やされてキャビネット２内に供給され、キャビネット２内が冷却されることになる。このように熱交換器１１によって外気との熱交換により、キャビネット２内の冷却を行い、送・受信機の不安定化を防止することができる。
【００７０】
さて、本体ケース４と内蓋１８との接触を内蓋開閉検出手段２３にて検出し、開閉結果を、マイコン２２へ信号として送信し、さらにマイコン２２から信号で開閉部２６を導通／遮断をすることができるので、内蓋１８をはずすと、内蓋１８と本体ケース４の接触が開状態となる。つまり、キャビネットの２の外側からフロントパネル１７と内蓋１８をはずしてメンテナンスを行うことができマイコン信号によりインバータ駆動回路部分の電源を遮断することができるため、メンテナンス中の待機電力を削減できることになる。
【００７１】
また、内蓋１８の接触を本体ケース４と内蓋１８との接触抵抗にて検出し、開閉結果を、マイコン２２へ信号として送信し、開閉部２６を導通／遮断するために、メンテナンス中の待機電力を削減できるだけでなく、内蓋開閉検出手段２３を簡素化し、コストダウンも実現できることになる。
【００７２】
（実施の形態２）
図９に示すように、本発明の実施の形態２の冷却装置の制御部のブロック図を示す。
【００７３】
前記本体ケース４に取り付けられる内蓋１８が開状態の時、運転指令が来ても起動しないことを特徴とする冷却装置である。
【００７４】
図９に示すように、制御部２１のプロック図である。本動作は、電源投入時の動作である。
【００７５】
また、本動作は、制御部２１内には第１電源回路２４と第２電源回路２５の２つの電源回路構成である。第１電源回路２４は、マイコン２２に電源供給し、外気送風機９と内気送風機１０を動作させるために、運転指示回路３１に信号を送ることで、第１インバータ駆動回路２７と第２インバータ駆動回路２８は動作し、外気送風機９と内気送風機１０を指定の回転数で運転させることができる。
【００７６】
さらに、本動作は、電源投入時に内蓋１８が開であれば、マイコン２２から運転指示回路３１へ起動指示しないので、通電状態を待機することになる。
【００７７】
また、図８との差異は、開閉部２６を持たない構成である。
【００７８】
前記本体ケース４に取り付けられる内蓋１８が開状態の時、運転指令が来ても起動しない理由を視覚的表示手段２９にて表示することを特徴とする請求項３記載の冷却装置である。
【００７９】
図９に示すように、制御部２１のプロック図である。電源投入時に内蓋１８が開であれば、マイコン２２から運転指示回路３１へ起動しない指示を出すために、通電状態を待機することになる。また、マイコン２２は、視覚的表示手段２９とも接続されており、マイコン２２が起動指示しない理由を表示することになる。
【００８０】
さらに、視覚的表示手段２９は、キャビネット２内から見える位置に配置されており、電源接続する作業者から見えることで、異常表示の内容がわかるようになっている。
【００８１】
また、視覚的表示手段２９の一例としては、ＬＥＤや７ｓｅｇＬＥＤなどの市販品であり、点滅方式や表示文字を変更させて複数ある異常内容を表示させることにする。
【００８２】
前記本体ケース４に取り付けられる内蓋１８が開状態の時、運転指令が来ても起動しない理由を聴覚的表現手段３０にて表現することを特徴とする請求項３と請求項４記載の冷却装置である。
【００８３】
図９に示すように、制御部２１のプロック図である。電源投入時に内蓋１８が開であれば、マイコン２２から運転指示回路３１へ起動しない指示を出すために、通電状態を待機することになる。
【００８４】
また、マイコン２２は、聴覚的表現手段３０とも接続されており、マイコン２２が起動指示しない理由を表示することになる。
【００８５】
さらに、聴覚的表現手段３０は、キャビネット２内からも聞こえるように、冷却装置３の背面側に配置されており、電源接続する作業者からも聞こえる、異常の内容が音でわかるようになっている。
【００８６】
また、視覚的表示手段２９の一例としては、ブザーなどの市販品であり、音の長さや回数などを変更させて複数ある異常内容を表現させる構成にする。
【００８７】
上記構成により、内蓋１８の接触を本体ケース４と内蓋１８との接触抵抗にて検出し、開閉結果を、マイコン２２へ信号として送信し、マイコン２２から駆動回路部へ運転／停止指令を送信することで、開閉部２６の部品を削減し、マイコン信号にて停止させることで、安価な回路部品で構成でき、メンテナンス中の待機電力を削減させることができることとなる。
【００８８】
また、開閉結果を、マイコン２２へ信号として送信し、マイコン２２から駆動回路部へ運転／停止指令を送信するだけでなく、マイコン２２から視覚的表示手段２９に警告する信号を送ることで、メンテナンス中の待機電力を削減させながら、作業中であることを基地局１内部から視覚的に表示させることができることとなる。
【００８９】
また、開閉結果を、マイコン２２へ信号として送信し、マイコン２２から駆動回路部へ運転／停止指令を送信するだけでなく、マイコン２２から聴覚的表現手段３０に警告する信号を送ることで、メンテナンス中の待機電力を削減させながら、作業中であることを基地局１内部から聴覚的に表現させることができることとなる。
【００９０】
（実施の形態３）
図１０に示すように、本発明の実施の形態３の冷却装置の制御部のブロック図を示す。
【００９１】
前記外気送風機９及び前記内気送風機１０が運転中の時に、前記本体ケース４に取り付けられる内蓋１８が内蓋開閉検出手段２３にて開状態を検出した時、運転指令が停止指令になることを特徴とする請求項１記載の冷却装置である。
【００９２】
図１０に示すように、制御部２１のプロック図である。本動作は、電源投入後の運転中の動作に関する内容である。
【００９３】
また、冷却装置３は、キャビネット２内で電源接続し、キャビネット２外でメンテナンスを行う構造となっているため、電源通電中の運転時においてもメンテナンスが行える構造になっている。
【００９４】
さらに、メンテナンス時に制御部２１の運転状況を確認することもできるが、近年のメンテナンス作業は、異常コードの確認と制御部２１の交換が主な対応となっている。本動作においては、冷却装置３の運転中において、内蓋１８を開けてメンテナンスを開始する場合の内容である。
【００９５】
また、マイコン２２に電源供給されて、運転指示回路３１へ運転開始信号を送ることで、外気送風機９と内気送風機１０を動作することになる。
【００９６】
さらに、運転途中に内蓋１８がと本体ケース４の接触が開になったら、内蓋開閉検出手段２３が検知し、マイコン２２は、即座に運転指示回路３１へ停止信号を送ることで、第１インバータ駆動回路２７と第２インバータ駆動回路２８は停止し、外気送風機９と内気送風機１０を停止させて、運転を待機させることができる。
【００９７】
前記外気送風機９及び前記内気送風機１０が運転中の時に、前記本体ケース４に取り付けられる内蓋１８が開状態になり、停止指令後の一定時間経過したら、自動的に開閉部２６が開になることを特徴とする請求項６記載の冷却装置である。
【００９８】
図１０に示すように、制御部２１のプロック図である。本動作は、電源投入後の運転中の動作に関する内容である。
【００９９】
また、冷却装置３は、運転中に内蓋１８を開けると内蓋開閉検出手段２３が検知し、マイコン２２は、即座に運転指示回路３１へ停止信号を送ることが、マイコン２２内にタイマー３２を設け、タイマー３２は停止時間を積算で記憶している。
【０１００】
さらに、一定時間の停止時間が経過すると、マイコン２２より開閉部２６へ開信号を送ることで、インバータ駆動部の電源を遮断することになる。
【０１０１】
また、一定時間とは、停止してから１０分程度で一時的な運転確認のために、内蓋１８を開けた状態ではなく、長い時間の確認を必要と想定されるために、待機電力が無駄になるために開閉部２６を遮断する構成とする。
【０１０２】
上記構成により、運転中に内蓋１８が閉から開となることで、内蓋開閉検出手段２３が検出されると、即座にマイコン２２へ開信号を送り、各インバータ駆動回路部へ停止信号を送ることで、メンテナンスモードに切り替わり、停止させることで消費電力を低下させることができる。また、回転を継続させないことで、メンテナンス中の送風装置の回転による怪我を防止できることとなる。
【０１０３】
また、マイコン２２が開信号の受信し、一定時間の経過後に、新たに開閉部２６への電源供給を遮断するようにマイコン２２から信号を送ることで、メンテナンスモードの経過時間を管理することで、更なる待機電力の削減を図ることとなる。
【０１０４】
（実施の形態４）
図１１に示すように、本発明の実施の形態４の冷却装置の斜視図を示す。
【０１０５】
前記本体ケース４に取り付けられる第２内蓋３３は、本体背面に取り付けた取り付け金具３４に共締めすることを特徴とする冷却装置である。
【０１０６】
図１１、図１２に示すように、内蓋１８に対して左下部に本体背面でボルト止めできるような構成にした第２内蓋３３と本体ケース４の背面で第２内蓋３３と共締め可能なように本体ケース４に取り付けた取り付け金具３４と共締めするボルト３５を備えている。
【０１０７】
また、第２内蓋３３は、本体前面から挿入し、本体背面で取り付けできれば、形状に制限はない。
【０１０８】
さらに、共締めのボルト３５で記載しているが、共締め可能であれば、特に指定はしない構成する。
【０１０９】
上記構成により、第２内蓋３３を本体前面から差し込んで、本体背面にて取り付けする構造に変更することで、点検中の有無が基地局１内部でわかることで、第２内蓋３３の有無が、基地局１内でわかるため、メンテナンス中の有無が確認できるため、基地局１の外の製品を見に行くことや通電による確認が不要となる。また、基地局１内に取り付けられているため、外部からの盗難を防止できることとなる。
【産業上の利用可能性】
【０１１０】
本発明の発熱体収納装置用冷却装置は、空気調和装置、制御盤などの壁面取り付けについても適用できる。
【符号の説明】
【０１１１】
１      基地局
２      キャビネット
２ａ    壁面
３      冷却装置
４      本体ケース
５      外気吸気口（第１環境用吸気口）
６      外気吐出口（第１環境用吐出口）
７      内気吸気口（第２環境用吸気口）
８      内気吐出口（第２環境用吐出口）
９      外気送風機（第１環境用）
１０    内気送風機（第２環境用）
１１    熱交換器
１２    固定ボルト
１３    ボルト貫通孔
１４    内気吸気口用開口（第２環境用）
１５    内気吐出口用開口（第２吐環境用）
１６    ナット
１７    フロントパネル
１８    内蓋
１９    電源部
２０    電源線
２１    制御部
２２    マイコン
２３    内蓋開閉検出手段
２３ａ  導通検出手段
２４    第１電源回路
２５    第２電源回路
２６    開閉部
２７    第１インバータ駆動回路
２８    第２インバータ駆動回路
２９    視覚的表示手段
３０    聴覚的表現手段
３１    運転指示回路
３２    タイマー
３３    第２内蓋
３４    取り付け金具
３５    ボルト
【図１】
2012059914.tif 000003
【図２】
2012059914.tif 000004
【図３】
2012059914.tif 000005
【図４】
2012059914.tif 000006
【図５】
2012059914.tif 000007
【図６】
2012059914.tif 000008
【図７】
2012059914.tif 000009
【図８】
2012059914.tif 000010
【図９】
2012059914.tif 000011
【図１０】
2012059914.tif 000012
【図１１】
2012059914.tif 000013
【図１２】
2012059914.tif 000014